(57)【要約】 【課題】  昆虫類、特にカメムシを効率的に捕虫することが可能であり、一旦捕虫したカメムシを逃がすことなく捕獲することが可能な捕虫器を提供の提供。【解決手段】  曲面状に形成された外殻面３ａを有し、外殻面３ａは透明若しくは半透明であるととともに、その表面には昆虫類の進入口４が設けられた捕虫部３と、捕虫部３の内部に設置され、捕虫部３を内側から照らす誘虫用光源２と、捕虫部３と接続された捕虫容器８とを具備し、捕虫部３には、捕虫容器８へ通じる連通部が設けられ、連通部は捕虫部３から下方へ漏斗状に形成されているとともに、捕虫部３へ進入した昆虫類を連通部から捕集容器８へ導くように構成されている。【選択図】  図１
2014117214.tif 000002
【特許請求の範囲】
【請求項１】
曲面状に形成された外殻面を有し、該外殻面は透明若しくは半透明であるととともに、その表面には昆虫類の進入口が設けられた捕虫部と、
前記捕虫部の内部に設置され、該捕虫部を内側から照らす誘虫用光源と、
前記捕虫部と接続された捕虫容器とを具備し、
前記捕虫部には、前記捕虫容器へ通じる連通部が設けられ、該連通部は捕虫部から下方へ漏斗状に形成されているとともに、前記捕虫部へ進入した昆虫類を該連通部から前記捕集容器へ導くように構成されていることを特徴とする捕虫器。
【請求項２】
前記捕虫部の外殻面における進入口には、パイプ状の誘虫用通路が該捕虫部の内部へ向かって取り付けられ、該進入口は断面が楕円形状に形成されているとともに、誘虫用通路の基端側が接続されていることを特徴とする請求項１に記載の捕虫器。
【請求項３】
前記パイプ状の誘虫用通路の先端側は断面が円形状に形成されているとともに、先端側を下方へ傾けて設置されていることを特徴とする請求項１及び２に記載の捕虫器。
【請求項４】
前記パイプ状の誘虫用通路は、その先端側が斜めに切断された斜切部を有する斜切円柱が用いられ、該斜切円柱の先端側は、該斜切部のうち短い部分を下側にして設置されていることを特徴とする請求項１及び２、又は３に記載の捕虫器。
【請求項５】
前記連通孔には、前記捕虫容器の内部に垂下する鎖状部が設けられていることを特徴とする請求項１〜４のうち、何れか１項に記載の捕虫器。
【請求項６】
前記捕虫部の外殻表面の上部には、該捕虫部の上方部分を覆う傘状部が設置されていることを特徴とする請求項１〜５のうち、何れか１項に記載の捕虫器。
【請求項７】
前記捕虫部の下方に位置する前記捕虫容器は、平面視、該捕虫部よりも大きく形成された張出部を有し、該張出部に捕虫容器内部と連通する捕虫孔が形成されていることを特徴とする請求項１〜６のうち、何れか１項に記載の捕虫器。
【請求項８】
前記誘虫用光源は、四面を有する逆錐状に形成された反射部を有し、その内側に発光ランプが設置され、該反射部の四面は、それぞれ緑・薄青・ピンク・ベージュの各色に着色されていることを特徴とする請求項１〜７のうち、何れか１項に記載の捕虫器。
【発明の詳細な説明】
【技術分野】
【０００１】
本発明は、カメムシなどの昆虫を捕獲するのに好適な捕虫器に係り、特に、使用時に必要とする電力が少なくて済むなど、省エネルギーに配慮された捕虫器に関する。
【背景技術】
【０００２】
カメムシは、日本全土に分布する昆虫であり、１０ｍｍ〜２０ｍｍ程度の大きさを有し、秋には越冬のために家屋に大量に侵入する。そして、室内が暖かくなる日当たりの良い窓近くや、蛍光灯などの照明のあたる場所に出てきたり、又、暖かくなる春先に大量に出てきて室内を飛翔し、独特の臭気を発することから、居住者に不快感を生じさせる。
【０００３】
従来、カメムシ用の捕虫器として、実用新案登録第３１２４６９０号公報（特許文献１）記載のカメムシ捕虫器が知られている。同公報記載の捕虫器は、漏斗状のカメムシ滑落部品を有するとともに、その滑落部品の上部には大径の開口部を有し、下部に捕虫容器に接続された連通部が設けられているとともに、滑落部品の内部へカメムシを誘虫する捕虫用光源を設置して構成されている。カメムシは、上部の開口部から滑落部品の内部へ侵入した後、その傾斜面を滑り落ちて下方の捕虫容器に落下し、捕虫容器の内部に集められて捕虫されるようになっている。
【０００４】
また、特開２００３−５２２９３号公報（特許文献２）には、箱型筐体の内部に、紫外線を発光する発光面並びに反射面が形成され、それらの発光面並びに反射面には光触媒のコーティングが施されている。箱型筐体には、虫が侵入するためのスリットが側面部に設けられているとともに、内部に漏斗状の虫類収集箱体が設けられ、又、筐体の下部には虫類の通過を検出する検出器が設置されている。当該発明によれば、確実な捕虫が可能になるとともに、発光面などに施された光触媒コーティングのセルフクリーニング作用により、清掃など保守・点検の手間を軽減することができるとされている。
【先行技術文献】
【特許文献】
【０００５】
【特許文献１】実用新案登録第３１２４６９０号公報
【特許文献２】特開２００３−５２２９３号公報
【発明の開示】
【発明が解決しようとする課題】
【０００６】
しかしながら、前述した特許文献１記載の捕虫器は、漏斗状の滑落部品の上部に大径の開口部が形成されていることから、一旦侵入したカメムシが、再び外へ出てしまう事態が予測される。
また、特許文献２記載の捕虫装置は、光触媒による防汚効果は認められるが、検出器などを必要としているため、内部配線を施す必要が生じるなど、構造の複雑化を招くとともに、大型化するなど一般家庭では使用しづらいという課題があった。
【０００７】
本発明は、このような事情に鑑みてなされたものであり、昆虫類、特にカメムシを効率的に捕虫することが可能であり、シンプルな構造にも拘わらず、一旦捕虫したカメムシを逃がすことなく捕獲することが可能な捕虫器を提供することを目的とする。
【課題を解決するための手段】
【０００８】
請求項１記載の発明は、曲面状に形成された外殻面を有し、該外殻面は透明若しくは半透明であるととともに、その表面には昆虫類の進入口が設けられた捕虫部と、前記捕虫部の内部に設置され、該捕虫部を内側から照らす誘虫用光源と、前記捕虫部と接続された捕虫容器とを具備し、前記捕虫部には、前記捕虫容器へ通じる連通部が設けられ、該連通部は捕虫部から下方へ漏斗状に形成されているとともに、前記捕虫部へ進入した昆虫類を該連通部から前記捕集容器へ導くように構成されていることを特徴とする。
【０００９】
請求項２記載の発明は、上記１項において、前記捕虫部の外殻面における進入口には、パイプ状の誘虫用通路が該捕虫部の内部へ向かって取り付けられ、該進入口は断面が楕円形状に形成されているとともに、誘虫用通路の基端側が接続されていることを特徴とする。
【００１０】
請求項３記載の発明は、上記１項及び２項において、前記パイプ状の誘虫用通路の先端側は断面が円形状に形成されているとともに、先端側を下方へ傾けて設置されていることを特徴とする。
【００１１】
請求項４記載の発明は、上記１項及び２項、又は３項において、前記パイプ状の誘虫用通路は、その先端側が斜めに切断された斜切部を有する斜切円柱が用いられ、該斜切円柱の先端側は、該斜切部のうち短い部分を下側にして設置されていることを特徴とする。
【００１２】
請求項５記載の発明は、上記１〜４項のうち、何れか１項において、前記連通孔には、前記捕虫容器の内部に垂下する鎖状部が設けられていることを特徴とする。
【００１３】
請求項６記載の発明は、上記１〜５項のうち、何れか１項において、前記捕虫部の外殻表面の上部には、該捕虫部の上方部分を覆う傘状部が設置されていることを特徴とする。
【００１４】
請求項７記載の発明は、上記１〜６項のうち、何れか１項において、前記捕虫部の下方に位置する前記捕虫容器は、平面視、該捕虫部よりも大きく形成された張出部を有し、該張出部に捕虫容器内部と連通する捕虫孔が形成されていることを特徴とする。
【００１５】
請求項８記載の発明は、上記１〜６項のうち、何れか１項において、前記誘虫用光源は、四面を有する逆錐状に形成された反射部を有し、その内側に発光ランプが設置され、該反射部の四面は、それぞれ緑・薄青・ピンク・ベージュの各色に着色されていることを特徴とする。
【発明の効果】
【００１６】
本発明によれば、カメムシなどの昆虫類を効率的に捕虫することが可能であり、一旦捕虫したカメムシなどを逃がすことがないという利点を有する。また、構造がシンプルなことから、小型・軽量化を図ることができ、使い勝手の向上に寄与する。
【図面の簡単な説明】
【００１７】
【図１】本発明に係る捕虫器の一実施形態の斜視図である。
【図２】同じく、本発明に係る捕虫器の一実施形態の分解斜視図である。
【図３】同じく、本発明に係る捕虫器の一実施形態の要部である誘虫用通路の詳細を示す図である。
【図４】同じく、本発明に係る捕虫器の一実施形態の捕虫器のうち、捕虫容器の上蓋の変形例を示す斜視図である。
【図５】同じく、本発明に係る捕虫器の一実施形態の捕虫器の作用を示す説明図である。
【図６】同じく、本発明に係る捕虫器の一実施形態の捕虫器のうち、誘虫用光源についての変形例を示す概略図である。
【図７】同じく、本発明に係る捕虫器の一実施形態の捕虫器のうち、捕虫部について変形例が適用された場合を示す斜視図である。
【発明を実施するための最良の形態】
【００１８】
以下、本発明に係る捕虫器の好適な実施形態について添付図面を参照して説明する。
【００１９】
図１は本発明に係る捕虫器の一実施形態の斜視図、図２は当該捕虫器の分解斜視図である。これらの図に示されるように、本実施形態における捕虫器１は主な構成部材として、誘虫用光源２と、捕虫部３と、捕虫容器８とを具備して構成されている。
捕虫部３は、曲面状のドーム形状に形成された外殻面３ａを有し、外殻面３ａは透明若しくは半透明であるととともに、その表面には昆虫類の進入口４が設けられている。
【００２０】
誘虫用光源２は、ソーラーパネル２ａ、発光ランプ２ｂ、反射部２ｃを有し、ソーラーパネル２ａは捕虫部３の上部を覆う傘状部１１の上面側に設置され、明るさに応じて発光ランプ２ｂを点灯するようになっている。つまり、明るいときにはソーラーパネル２ａによって電池へ充電する一方、暗くなったときには図示しないセンサによって、ＬＥＤなどの発光ランプ２ｂが点灯し、捕虫部３全体を内側から照らすことにより、カメムシなどの昆虫類を捕虫部３の外殻面３ａ上へ引き寄せる誘虫機能を備えている。ＬＥＤの発光色は、様々な色のものが使用できるが、捕集率について実験を行なったところ、クリア、薄緑、ピンク、薄ベージュ、薄青、肌色の順で、捕集率が良いという結果となった。
【００２１】
捕虫部３は、例えば直径１０ｃｍ程度の球形ドーム状をなし、その外殻面３ａ上部には反射部２ｃを挿入するための挿通孔３ｂが穿設されている。これによって発光ランプ２ｂは、捕虫部３の内部に挿入され、光を効率よく捕虫部３の内部へ拡散させて、全体を照らすことができるようになっている。発光ランプ２ｂは、傘状部１１から下方へ延びる筒状の反射部２ｃ内に位置しており、光を効率的に拡散することが可能である。また、傘状部１１によって、日中、捕虫部３への日射が遮られることから、昆虫類が捕虫部３に集まりやすくなるという効果も有している。
【００２２】
捕虫部３の外殻面３ａは例えばポリエチレン、ポリエチレンテレフタレートなどの樹脂製材料からなり、昆虫類が歩き回る際に滑らない摩擦係数のもので、透明（クリア）若しくは着色（例えば緑、ブルー、ピンク、ベージュ等）などの処理が施された半透明に形成されたものが好適である。また、捕虫部３の下部には、下方へいくに従い、内径が狭くなる漏斗状の連通部３ｃが形成されている。
外殻面３ａの表面には、複数の進入口４が穿設され、これらの進入口４にはパイプ状の誘虫用通路５が捕虫部３の内部に挿入された状態で設置されている。また、誘虫用通路５の先端側は、下方へ多少傾けた状態で取り付けられている。
【００２３】
図３は誘虫用通路５の詳細を示す図であり、同図に示されるように、誘虫用通路５は、先端側５ａが斜めに切断された斜切部を有する斜切円柱を用いて形成されており、基端側５ｂは進入口４に取り付けられている。基端側５ｂが取り付けられた進入口４は、断面が広めの楕円形状に形成され、誘虫用光源２によって外殻面３ａ上に引き寄せられたカメムシが、内部へ入り込み易いように考慮されている。この形状は狭い部分に入ろうとするカメムシの習性を考慮したものである。誘虫用通路５の材料としてはナイロンなどが利用可能である。進入口４には、誘虫用通路５の楕円のうち、その長辺Ｌ−Ｌが縦方向に来るように配置されている。
【００２４】
一方、誘虫用通路５の先端側５ａは、断面が円形に形成され、捕虫部３の内部に一旦進入したカメムシが、再び捕虫部３から出ることを防止している。このことは、前述したように、誘虫用通路５の先端が下方へ傾けて設置されていること、又、進入口４が広めの楕円形に形成されていることにより、カメムシの捕虫部３内への進入を促すとともに、一旦捕獲したカメムシを確実に捕虫部３内に留めておくことができるようになり、これによって、カメムシの捕虫率の向上が図られている。
【００２５】
捕虫部３の連通部３ｃは、その下部の捕虫容器８の開口端に挿入され、捕虫部３の内部に入ったカメムシなど、捕獲した昆虫類を漏斗状に形成した連通部３ｃから、下方へ導いて収容するようになっている。捕虫容器８は、一例として直径８ｃｍ、高さ１１ｃｍの円柱状の容器であり、その内部に、水、カラマツなどの樹液、野菜汁など虫を引き寄せる液体９を入れておいても良い。
捕虫容器８の開口部には、ネジで固定する上蓋６が取付・取外し可能に配設されており、これによって捕虫部３を脱着することができる。
【００２６】
図４は、捕虫容器８における上蓋６´の変形例を示す斜視図である。同図に示される上蓋６´は、平面的に視た場合に捕虫部３よりも大きな張出部として、大径のリング状部６´ａを有し、そのリング状部６´ａには段差６´ｂが設けられているとともに、捕虫孔６´ｃが穿設されている。
【００２７】
段差６´ｂは、前述した捕虫部３の外殻面３ａ上のカメムシが、外殻面３ａ上を歩き回ることによって、下方の上蓋６´のリング状部６´ａへ滑り落ちた場合を考慮して設置したものである。リング状部６´ａに落下したカメムシは、上蓋６´のリング状部６´ａの上に沿って歩き回るが、その際、段差６´ｂによって移動範囲が限られることから、捕虫孔６´ｃから捕虫容器８内へ落下し、これによって捕虫率を向上させることが可能になる。
【００２８】
図５は捕虫部３の外殻面３ａ上のカメムシを捕獲する場合の作用を示す説明図である。同図に示されるように、カメムシ１０は、捕虫部３内部の誘虫用光源２によって、光が拡散している外殻面３ａ上に引き寄せられ、その上に止まって移動するが、その際に、進入口４から、誘虫用通路５を通って捕虫部３へ移動する。この誘虫用通路５は、下方にやや傾けて設置されていることから、一度、誘虫用通路５内に入ったカメムシ１０は自然と捕虫部３内へ移動する。
【００２９】
そして、捕虫部３内に入ったカメムシ１０は、漏斗状の連通部５ｃから捕虫容器８内へ滑り落ちるとともに、鎖状部としての鎖７を伝うようにして捕虫容器８内へ落下して、最終的に捕虫されることになる。
このように、本実施形態によれば、昆虫類、特にカメムシの習性を勘案して、進入口４並びに誘虫用通路５の形状・寸法を設定しており、これによってカメムシを効率よく捕虫することが可能である。
【００３０】
図６は誘虫用光源についての変形例を示す概略図であり、前述した実施形態では円筒状の反射部２ｃ内に、発光ランプ２ｂを配置して誘虫用光源２を構成したが、図６では、四面を有する逆錐状に形成された反射部２´ｃを設置している点が相違している。
反射部２´ｃの四面のそれぞれには、緑・薄青・ピンク・ベージュの各色が着色された着色面１２ａ〜１２ｄが設けられ、捕虫部３内部を照らすようになっている。
また、進入口４の周囲にも、同様に、緑・薄青・ピンク・ベージュの色彩によって着色され、カメムシを引き寄せるようになっている。これによって、色彩に基づく誘虫作用により捕虫率が向上している。
【００３１】
なお、前述した図１〜６における実施形態では捕虫部３として球形状のものを用いていたが、図７に示されるように円筒状の捕虫部３´を用いることも可能である。
また、本実施形態では、鎖状部として、鎖を用いているが、これに限らず、昆虫類の下方への移動を可能とするものであれば、紐や弦巻バネなどを用いることも可能である。
【００３２】
本実施形態によれば、捕虫部や進入口、誘虫用光源によってカメムシなど不快感を起こす昆虫を引き寄せて捕虫することが可能となり、快適な生活空間を維持する上での一助となる。また、誘虫用光源の電源としてソーラーパネルを利用することにより、電力を消費することなく稼働させることができるので、省エネルギーに寄与する。
【産業上の利用可能性】
【００３３】
以上説明したように、本発明によれば、捕虫効率を向上させることが可能となり、家庭は勿論、各種の工場など、昆虫特にカメムシによる被害を大幅に軽減することが可能である。
【符号の説明】
【００３４】
１          捕虫器
２          誘虫用光源
２ａ        ソーラーパネル
２ｂ        発光ランプ
２ｃ        反射部
２´ｃ      反射部
３          捕虫部
３ａ        外殻面
３ｂ        挿通孔
３ｃ        連通部
３´ｃ      連通部
４          進入口
５          誘虫用通路
５ａ        先端側
５ｂ        基端側
６          上蓋
６´        上蓋
６´ａ      リング状部
６´ｂ      段部
６´ｃ      捕虫孔
７          鎖
８          捕虫容器
９          液体
１０        カメムシ
１１        傘状部
１２ａ〜１２ｄ      着色面
【図１】
2014117214.tif 000003
【図２】
2014117214.tif 000004
【図３】
2014117214.tif 000005
【図４】
2014117214.tif 000006
【図５】
2014117214.tif 000007
【図６】
2014117214.tif 000008
【図７】
2014117214.tif 000009